(57)【特許請求の範囲】
【請求項１】
第１のパスによりハンドオーバ中の無線端末と通信する第１の基地局と、第２のパスにより前記無線端末と通信する第２の基地局と、前記第１及び第２の基地局を制御する基地局制御局とを備え、前記基地局制御局が、前記第１のパスから受信した信号および前記第２のパスから受信した信号を選択合成する選択合成部を備え、該選択合成部により選択合成された信号を、上位局へ送信し、前記無線端末と前記第１及び第２の基地局との間の閉ループ送信電力制御のために前記基地局に設定された目標基準品質を制御する制御信号を前記基地局に送信する無線通信システムにおいて、
前記基地局制御局は、
前記選択合成部の前に、選択合成前の各基地局からの伝送信号に対して、各基地局からの伝送信号の信号品質を測定する信号品質測定部と、
前記信号品質測定部により測定された信号品質が所定の目標信号品質と等しくなるように、送信電力制御で用いる前記目標基準品質を増減するための制御信号を作成する制御信号作成部を備え、
前記信号品質測定部が、各基地局からの伝送信号の品質を基地局毎に測定し、
前記信号品質測定部で測定した基地局毎の伝送信号の信号品質と目標信号品質とを比較する比較器をさらに備え、
前記制御信号作成部が、前記信号品質測定部により測定された基地局毎の信号品質が目標信号品質と等しくなるように、閉ループ送信電力制御で用いる目標基準品質を増減指示するための制御信号を基地局毎に作成し、
前記比較器の比較結果に基づいて、
伝送信号の品質が前記目標信号品質より高い前記第１の基地局に、目標基準品質の減少指示のための制御信号を通知し、
伝送信号の品質が前記目標信号品質より低い前記第２の基地局に、目標基準品質の増加指示のための制御信号を通知するようにし、
前記基地局毎に作成した目標基準品質の増減指示のための制御信号を対応する基地局へ通知するようにし、
前記選択合成部が前記第１の基地局からの信号を選択し及び前記無線端末が該第１の基地局の目標基準品質をもとに閉ループ送信電力制御を行う間に、前記第２の基地局の目標基準品質が、前記基地局制御局からの前記制御信号に基づき上昇することを特徴とする無線通信システム。
【発明の詳細な説明】
【技術分野】
【０００１】
本発明は、無線通信システムに係る。本発明は特に、符号分割多元接続方式（以下、ＣＤＭＡ（ｃｏｄｅ  ｄｉｖｉｓｉｏｎ  ｍｕｌｔｉｐｌｅ  ａｃｃｅｓｓ）と略称する）の移動通信システムにおいて移動局が複数の基地局に同時に接続されるソフトハンドオーバ中に基準無線回線の受信品質を所定の受信品質を満たすように送信電力制御する無線通信システムに関する。
【背景技術】
【０００２】
一般に、セルラー移動通信システムにおけるＣＤＭＡ方式では、複数の移動端末が同じ周波数帯域を共有して基地局と通信を行っている。従って、ある移動端末と基地局が通信を行う場合、移動端末が基地局に対して発信した信号（希望信号）にとって、他の移動端末が基地局に対して発信した信号（非希望信号）は干渉となり、希望の移動端末と基地局の通信の妨げになる場合がある。干渉レベルは基地局が受信する非希望信号波の受信レベルに比例して大きくなり、その非希望信号の受信レベルは、非希望移動端末から送信される送信電力に比例する。従って干渉レベルを最小限に抑えるためには、移動端末からの送信電力を基地局が制御し、基地局での受信レベルが常に必要最小限となるような送信電力制御が必要となる。
【０００３】
従来、送信電力制御には、基地局で測定した信号対干渉比ＳＩＲ（Ｓｉｇｎａｌ  ｔｏ  Ｉｎｔｅｒｆｅｒｅｎｃｅ  Ｒａｔｉｏ）や、受信電力といった受信品質を所定の目標値と比較して、その結果に基づいて送信電力を増加又は減少するように基地局から移動局に通知し、移動局では、基地局からの通知をもとに送信電力を決定するといった閉ループ電力制御が知られており、更に基地局と基地局制御局との間においても、基地局制御局での受信品質が目標値に等しくなるように基地局の閉ループ電力制御の品質目標値を制御することが知られている。
【０００４】
また、移動局が複数の基地局と同時接続されるソフトハンドオーバ中の送信電力制御では、「特開平１０−１３９２２号公報」に示されるように、複数の基地局と接続される基地局制御局において、選択合成された後のデータ品質と所定目標値を比較し、その結果に基づいて、接続されている全基地局に対して、閉ループ電力制御の目標値に対する補正値を通知し、基地局においては、補正された目標値で送信電力制御することで、移動局の送信電力をより低減させることが知られている。
【発明の開示】
【発明が解決しようとする課題】
【０００５】
上記従来の方法は、実際の外部障害（基地局や基地局制御局の故障、他の干渉波、天気、建築物、機械・重機）によるシャドーの変動等、基地局での受信電力が急に減少する場合を考慮にいれていない。以下に、シャドー効果のように、直接波、反射波の電波が遮られ電界伝度が変動する場合について説明する。
【０００６】
図１７は、従来の移動体通信システムでのハンドーバ中の構成を表した図である。例えば、図１７に示すように、移動局（ＭＳ）８００が基地局Ａ（ＢＴＳ＿Ａ）８５０と基地局Ｂ（ＢＴＳ＿Ｂ）８７０に同時に通信しているソフトハンドオーバ中において、基地局制御局（ＢＳＣ）８６０での選択合成後の信号のほとんどが、ＢＴＳ＿Ａ８５０経由の信号であるようなＢＴＳ＿Ａ８５０とＢＴＳ＿Ｂ８７０との信号品質に格差がある場合を考える。
【０００７】
ＭＳ８００は、送信処理を行う送信器（Ｔｘ８０４）、可変利得増幅器８０３、送信電力制御を行う送信電力制御判定部（ＴＰＣ（ｔｒａｎｓｆｅｒ  ｐｏｗｅｒ  ｃｏｎｔｒｏｌ）判定部）８０５、サーキュレータ８０２、送受信アンテナの８０１、受信処理を行う受信器（Ｒｘ８０６）を備える。ＢＴＳ＿Ａ８５０は、送受信アンテナ８５１とサーキュレータ８５２、受信処理するＲｘ８５３、受信信号のＳＩＲを測定するＳＩＲ８５４、目標ＳＩＲを設定及び記憶する目標ＳＩＲ設定部８５６、目標ＳＩＲと受信ＳＩＲとを比較する比較部８５５、送信信号に送電力制御信号を付加する加算器８５７、送信処理を行うＴｘ８５８を備える。又、ＢＴＳ＿Ｂ８７０も、ＢＴＳ＿Ａ８５０と同様な構成である。更にＢＳＣ８６０は、選択合成を行う選択合成部８６１と選択合成後の受信ＦＥＲ（ｆｒａｍｅ  ｅｒｒｏｒ  ｒａｔｅ）を測定するＦＥＲ部８６２、目標ＦＥＲを記憶する目標ＦＥＲ記憶部８６４、受信ＦＥＲと目標ＦＥＲとを比較する比較部８６３、送信電力制御信号を制御信号に乗せる加算器８６５を備える。
【０００８】
先ず、ＭＳ８００とＢＴＳ＿Ａ８５０との閉ループ送信電力制御について説明する。ＭＳ８００から送信された上り信号（上り信号とは、ＭＳからＢＳＣ８６０へ送信される信号である）は、ＢＴＳ＿Ａ８５０のアンテナ８５１で受信される。アンテナから受信された信号は、サーキュレータ８５２を介した後、Ｒｘ８５３で受信処理を施され、ＳＩＲ測定部８５４とＢＳＣ８６０へと送信される。ＳＩＲ測定部８５４では、入力された受信信号のＳＩＲ（Ｓｉｇｎａｌ  Ｉｎｆｏｒｍａｔｉｏｎ  Ｒａｔｉｏ）を測定して、比較部８５５に転送する。比較部８５５では、入力された受信ＳＩＲと予め決められた目標ＳＩＲとを比較し、その結果、受信ＳＩＲが目標ＳＩＲより小さい場合には、送信電力増加を意味する送信電力制御信号を、比較結果が受信ＳＩＲが目標ＳＩＲより大きい場合には、送信電力減少を意味する送信電力制御信号を加算器８５７によって下り信号（下り信号とは、ＢＳＣ８６０からＭＳへ送信される信号）に付加する。送信電力制御信号を付加された送信信号は、サーキュレータ８５２を介した後、アンテナ８５１からＭＳ８００に対して送信する。
【０００９】
ＢＴＳ＿Ａ８５０より送信された信号は、ＭＳのアンテナ８０１より受信され、サーキュレータ８０２を介してＲｘ８０６へと転送される。Ｒｘでは、受信信号から送信電力制御信号を取り出し、ＴＰＣ判定部８０５へと転送する。ＴＰＣ判定部８５０では、送信電力制御信号の意味を判定し、判定結果が送信電力増加指示であれば、可変利得増加器８０３に対して利得増加の制御を行う。又、判定結果が送信電力制御減少指示であれば、可変利得増加器８０３に対して利得減少の制御を行う。ＭＳの送信信号は、Ｔｘ８０４で送信処理された後、ＴＰＣ判定部８０５により制御された可変利得増加器８０３によって所定の利得に増減化した上でアンテナ８０１から送信される。この動作を繰り返すことによってＢＴＳ＿Ａ８５０での受信ＳＩＲは、目標ＳＩＲに収束する。
【００１０】
次に、ハンドオーバ中での送信電力制御を説明すると、ＭＳ８００は、ＢＴＳ＿Ａ８５０とＢＴＳ＿Ｂ８７０との間で通信を行うので、ＭＳ８００より送信された上り信号は、ＢＴＳ＿Ａ８５０および、ＢＴＳ＿Ｂ８７０のアンテナで受信され、各々のＢＴＳは、上記の動作を行い、送信電力制御信号を付加した送信信号を各々のアンテナより送信する。ＢＴＳ＿Ａ８５０とＢＴＳ＿Ｂ８７０の送信電力制御の増減指示は、無線回線の違いと目標ＳＩＲの初期値の違いから、必ずしも一致するとは限らない。
【００１１】
ＭＳ８００では、ＢＴＳ＿Ａ８５０、およびＢＴＳ＿Ｂ８７０からの送信信号を受信して最大比合成で受信処理を行い、ＴＰＣ判定部８０５での判定では、一つでも送信電力制御信号に減少指示があれば可変利得増幅器８０３に対して利得減少制御を行う。逆に利得増幅と判定する為には、例えば、全ての送信電力制御信号が増加指示でなくてはならない。この動作は、受信品質が良い受信信号を基準に判定を行うことを意味する。
【００１２】
次に、ハンドオーバ中のＢＴＳとＢＳＣ間の目標ＳＩＲ更新制御について説明する。ＢＴＳ＿Ａ８５０、ＢＴＳ＿Ｂ８７０により受信処理された上り信号は、ＢＳＣ８６０に送られる。ＢＳＣ８６０では、ＢＴＳ＿Ａ８５０、およびＢＴＳ＿Ｂ８７０の受信信号を選択合成部８６１により選択合成を行い、品質の良い信号を上位局へと転送する。又、選択合成された信号は、ＦＥＲ部８６２へと入力され、ＦＥＲ部では入力された信号のＦＥＲを測定し、比較部８６３へと転送する。比較部８６３では、システムにより決められている目標ＦＥＲと比較して、受信ＦＥＲが目標ＦＥＲより大きい場合には、ＢＴＳの目標ＳＩＲの増加を意味する目標ＳＩＲ更新御信号を、また、比較結果が受信ＦＥＲが目標ＦＥＲより小さい場合には、目標ＳＩＲの減少を意味する目標ＳＩＲ更新信号を加算器８６５に送信する。加算器８６５では、比較部８６３より入力された信号をＢＴＳ−ＢＳＣ間の制御信号に乗せて、ハンドオーバ中のＢＴＳ＿Ａ８５０とＢＴＳ＿Ｂ８７０に対して送信する。ＢＴＳ＿Ａ８５０とＢＴＳ＿Ｂ８７０は、ＢＳＣ８６０から受信した制御信号を解読して目標ＳＩＲ更新信号が目標ＳＩＲの増加指示であるか、減少指示であるか解読する。解読結果が増加指示であれば、目標ＳＩＲを増加させ、解読結果が減少指示であれば、目標ＳＩＲを減少させる。この動作を繰り返すことによってＢＳＣ８６０での選択合成後の信号を目標ＦＥＲの品質に収束させることができる。従来技術では、ＢＴＳ−ＢＳＣ間の目標ＳＩＲ更新周期Ｔは、ＢＴＳ−ＭＳ間の閉ループ送信電力制御周期τより十分長いことが知られている。
【００１３】
図１８は、従来の移動体通信システムでの送信電力制御を表したグラフである。次に、図１８のグラフを用いてハンドオーバ中において、無線回線品質がＢＴＳ＿Ｂ−ＭＳ間よりＢＴＳ＿Ａ−ＭＳ間の方が十分に高い場合について説明する。ここで、図１８（Ａ）は、ＭＳでの送信電力の遷移を表すグラフ、図１８（Ｂ）は、各ＢＴＳでの目標ＳＩＲの遷移と受信ＳＩＲの遷移を表すグラフ、図１８（Ｃ）は、ＢＳＣでの選択合成後の受信ＦＥＲの遷移を表すものである。
【００１４】
ＢＴＳ＿Ａ８５０とＢＴＳ＿Ｂ８７０の目標ＳＩＲは、ハンドオーバ追加時の初期値の違いから異なっている。ＭＳ８００から送信された上り信号は、ＢＴＳ＿Ａ８５０とＢＴＳ＿Ｂ８７０で受信され、各々の受信ＳＩＲを測定して閉ループ送信電力制御が行われる。ＭＳ８００では、受信信号の最大比合成で受信処理、送信電力制御判定を行うので、送信電力制御判定結果は無線通路の品質が良いＢＴＳ＿Ａ８５０の信号を基に可変利得増加器８０３の制御を行うことになる。従って、ｔ０〜ｔ２時間のＭＳ８００の送信電力９０１は、ＢＴＳ＿Ａ８５０の受信ＳＩＲ９０３がＢＴＳ＿Ａ８５０の目標ＳＩＲ９０２に収束するように制御される。一方、ＢＴＳ＿Ｂ８７０の受信ＳＩＲ９０５は、無線回線品質が悪いため目標ＳＩＲ９０４より低くなり、送信電力制御信号を通して送信電力増加を促すが、ＭＳ８００での送信電力制御判定ではＢＴＳ＿Ａ８５０の送信電力制御信号を採用するために、ＢＴＳ＿Ｂ８７０の目標ＳＩＲは、収束することができない。
【００１５】
次に、ｔ０〜ｔ２時間でのＢＳＣ８６０の受信ＦＥＲ９０８を見ると目標ＦＥＲ９０７より品質が良い。これは、選択合成後の信号のほとんどが品質の良いＢＴＳ＿Ａ８５０からの受信信号であることを意味し、目標ＳＩＲ更新制御は、実質的にＢＴＳ＿Ａ８５０の信号のＦＥＲを基に目標ＳＩＲを決めていくことになる。このグラフの場合には、受信ＦＥＲ９０８が目標ＦＥＲ９０７より良いので目標ＳＩＲを下げるように、目標ＳＩＲ更新周期Ｔ９１０の間隔で制御され、受信ＦＥＲ９０８は、目標ＦＥＲ９０７に収束していく。また、ＢＴＳ＿Ａ８５０およびＢＴＳ＿Ｂ８７０の目標ＳＩＲが下がることによって、ＭＳ８００の送信電力９０１も下がるのがわかる。
【００１６】
次に、ｔ２時間以降にＭＳ８００とＢＴＳ＿Ａ８５０との間に障害物が現れたこと等により受信電力が急に減少した場合を想定すると、ＢＴＳ＿Ａ８５０の受信ＳＩＲ９０３は、グラフのｔ２〜ｔ３時間に急激に低下し、それに伴ってＢＳＣ８６０の受信ＦＥＲ９０８も急激に悪くなる。ＢＴＳ＿Ａ８５０の受信ＳＩＲ９０３が低下していくと、ＢＴＳ＿Ｂ８７０の受信ＳＩＲ９０５との交点ｔＡがありこのｔＡを過ぎると、ＢＳＣ８６０の選択合成部８６１での選択信号先がＢＴＳ＿Ａ８５０の信号からＢＴＳ＿Ｂ８７０の信号へと移ることになる。又、ＭＳ８００においてもＢＴＳ＿Ａ８５０８５０の下りの信号の品質の低下に伴い、送信電力制御判定がＢＴＳ＿Ｂ８７０の送信電力制御信号を基に判定するように変わり、ｔＡ〜ｔ３の間でＭＳ８００は、ＢＴＳ＿Ｂ８７０の目標ＳＩＲ９０４を満たすように送信電力を上げていく。この閉ループ送信電力制御によってＢＳＣ８６０での受信ＦＥＲ９０８は、あるＦＥＲ９０９に収束する。しかし、この時の受信ＦＥＲ９０８は、目標ＦＥＲ９０７を満たすものではない。何故ならば、この時に収束したＢＴＳ＿Ｂ８７０の目標ＳＩＲ９０４は、ＭＳ８００とＢＴＳ＿Ａ８５０の無線回線品質が良好であり、ＢＳＣ８６０での選択合成後信号が、ほとんどＢＴＳ＿Ａ８５０の信号であった場合において制御され決定された値だからである。
【００１７】
ｔ３以降は、ＢＳＣ８６０での受信ＦＥＲ９０８が目標ＦＥＲ９０７より悪いので、ＢＴＳ＿Ａ８５０及びＢＴＳ＿Ｂ８７０の目標ＳＩＲは、増加するように制御され、目標ＳＩＲ更新周期Ｔ９１０で徐々に目標ＦＥＲに近づいていく。
しかしながら、目標ＳＩＲ更新周期Ｔは、非常に長いので、目標ＦＥＲまで落ち着くまでには時間がかかり、かなりの時間、品質を保てない状態が続いてしまう。更に、ＢＳＣ８６０の選択合成部８６１での選択先がＢＴＳ＿Ａ８５０の信号からＢＴＳ＿Ｂ８７０の信号に移った後の受信ＦＥＲ９０９が、呼解放が生じるＦＥＲ９０６を超えてしまい、かつ同期が維持できない時間、保持されると呼切断が生じる問題が発生してしまう。
【００１８】
本発明の目的は、以上の点に鑑み、ソフトハンドオーバー中にシャドウ効果等のように急激にデータ品質が劣化した場合にでも、早急に目標となる信号品質に収束させ回復させることができる無線通信システムを提供することにある。更に、本発明の目的は、外部障害によるシャドー変動に対して、呼切断が減少するセルラー移動通信システムを提供することにある。
【課題を解決するための手段】
【００１９】
上記目的を達成するため、本発明は、符号分割多元接続方式の移動通信システムにおいて通話中の移動局および基地局は、各々の無線回線の受信品質が所定の基準品質に等しくなるように送信電力制御を行い、移動局が複数の基地局に同時に接続されるソフトハンドオーバ中において複数の基地局は、有線回線を介して基地局制御局に接続され、複数の基地局から基地局制御局への複数の伝送信号は、基地局制御局において選択合成される移動通信システムにおいて、基地局制御局は、選択合成後の信号品質が所定の品質と等しくなるように、該基地局に対して、ある周期で送信電力制御で用いる基準品質値を更新する機能を有し、この制御する更新は、短い周期時間であることを、ひとつの特徴とした。
【００２０】
また、上記目的を達成するため、移動通信システムにおいて、基地局制御局が、該基地局の送信電力制御で用いる基準品質値を更新する周期は、送信電力制御周期時間と同じにすることを、他の特徴とした。
【００２１】
更に、上記目的を達成するため、符号分割多元接続方式の移動通信システムにおいて通話中の移動局および基地局は、各々の無線回線の受信品質が所定の基準品質に等しくなるように送信電力制御を行い、移動局が複数の基地局に同時に接続されるソフトハンドオーバ中において複数の基地局は、有線回線を介して基地局制御局に接続され、複数の基地局から基地局制御局への複数の伝送信号は、基地局制御局において選択合成される移動通信システムにおいて、ソフトハンドオーバ中の間、基地局制御局は、該基地局から受信する複数の伝送信号の信号品質により、最良の回線品質を提供する基地局を決定する手段と、最良の回線品質を提供する基地局に、基地局に対する基準品質の増減指示を通知する機能を具備し、基地局は、増減指示の有無を判断する手段と、増減指示を受け取らない該基地局は、システム設定値をもとに送信電力を行うことを、他の特徴とした。
【００２２】
また、上記目的を達成するため、基地局制御局において、最良の回線品質を提供する基地局を決定する手段は、選択合成前のハンドオーバ中の該基地局から受信した信号と選択合成によって選択された信号との割合を測定することによって決定することを、他の特徴とした。
【００２３】
また、上記目的を達成するため、基地局において、基地局制御局からの基準品質増減指示の有無を判断する手段は、待ち受け時間を管理する機能を具備することによって実現することを、他の特徴とした。
【００２４】
また、上記目的を達成するため、基地局において、基地局制御局からの基準品質増減指示を受けとらない該基地局は、送信電力制御の基準品質値をシステム初期設定値に設定することを、他の特徴とした。
【００２５】
更に、上記目的を達成するため、符号分割多元接続方式の移動通信システムにおいて通話中の移動局および基地局は、各々の無線回線の受信品質が所定の基準品質に等しくなるように送信電力制御を行い、移動局が複数の基地局に同時に接続されるソフトハンドオーバ中において複数の基地局は、有線回線を介して基地局制御局に接続され、複数の基地局から基地局制御局への複数の伝送信号は、基地局制御局において選択合成される移動通信システムにおいて、基地局は、基準品質と受信品質との差と、所定の閾値とを比較する手段を具備し、比較結果によって、該基地局は、自立的に最良の回線品質を提供している基地局であるか否かを判断する機能を具備し、該基地局が最良の回線品質を提供している基地局でないと判断した場合には、システム初期設定値をもとに送信電力制御をおこなうことを、他の特徴とした。
【００２６】
また、上記目的を達成するため、基地局において、基準品質と受信品質との差と、所定の閾値とを比較した結果が、基準品質と受信品質との差が閾値より小さいと判断された場合は、該基地局が最良の回線品質を提供している基地局であると判断することを、他の特徴とした。
また、上記目的を達成するため、記載の基地局において、基準品質と受信品質との差と、所定の閾値とを比較した結果が、基準品質と受信品質との差が閾値より大きいと判断された場合は、該基地局が最良の回線品質を提供している基地局ではないと判断する特徴を備えることができる。
【００２７】
また、上記目的を達成するため、基地局において、基準品質と受信品質との差と、所定の閾値とを比較した結果が、基準品質と受信品質との差が閾値より小さいと判断された場合にのみ、基地局制御局からの基準品質増減指示に従う特徴を備えることができる。
また、上記目的を達成するため、基地局において、基準品質と受信品質との差と、所定の閾値とを比較した結果が、基準品質と受信品質との差が閾値より小さいと判断された場合には、基地局の基準品質をシステム初期設定値に設定して送信電力制御を行う特徴を備えることができる。
【発明の効果】
【００２８】
本発明によると、上記従来の技術の課題を解決し、外部障害による無線回線品質の低下に対しても、選択合成後の品質を早急に回復させることが可能で、上位局に対しては品質の高い信号を供給することが出来る。更に、外部障害によるシャドー変動に対して、呼切断が減少するセルラー移動通信システムが実現できる。
【発明を実施するための最良の形態】
【００２９】
以下では、発明の実施の形態を説明する。
（１）実施の形態１の説明
図１は、本発明を適用したセルラー移動通信システムにおいて、ハンドオーバ中の構成を表した図である。すなわち、図１は、本発明の送信電力制御方式を適用したＣＤＭＡ移動通信システムにおいて、ソフトハンドオーバ中にあるＭＳ４００とハンドオーバ接続先であるＢＴＳ＿Ａ１００、およびＢＴＳ＿Ｂ２００、ＢＳＣ３００を示した図である。ＭＳ４００は、ＢＴＳ＿Ａ１００からの下り無線回線、およびＢＴＳ＿Ｂ２００からの下り無線回線を受信するとともに、両ＢＴＳに対して共通の上り無線回線を送信している。
【００３０】
また、ＢＴＳ＿Ａ１００とＭＳ４００との間、ＢＴＳ＿Ｂ２００とＭＳ４００との間には送信電力制御によってＭＳ４００、および各ＢＴＳの送信電力が制御されている。送信電力制御は、例えば、ヘッダ、ＴＰＣビット、ユーザ情報を含む個別物理チャネル２５０のＴＰＣビットを使うことによって実現される。このとき、一例として、ＢＴＳ＿Ａ１００、および、ＢＴＳ＿Ｂ２００がＭＳ４００に対して送信電力を上げる指示をする場合には、ＴＰＣビットを“１１”とし、逆に送信電力を下げる指示をする場合には、ＴＰＣビットを“００”として下りの御別物理チャネルに付加して送信する。ＭＳ４００は、個別物理チャネル２５０を受信するとＴＰＣビットを見て、“１１”と判断するとＢＴＳへの送信電力を上げ、逆に“００”と判断すると送信電力を下げる。また、上り方向に対しても同様なデータ形式であり、ＴＰＣビットによってＢＴＳの送信電力が制御される。
【００３１】
また、ＢＴＳ＿Ａ１００は、有線回線４１０を介してＢＳＣ３００に接続され、ＢＴＳ＿Ｂ２００は、有線回線４２０を介してＢＳＣ３００に接続され、ＢＳＣ３００において、上り信号を選択合成することで、より品質の高い上り信号を上位局へ送信することができる。この各ＢＴＳとＢＳＣ３００との間には、ＢＳＣ３００でのＦＥＲと目標ＦＥＲとの比較結果に基づきＢＴＳの目標ＳＩＲを更新する制御があり、この制御は、ＢＴＳとＢＳＣ３００間の局間制御チャネル２５２を使うことによって実現される。ＢＳＣ３００がＢＴＳに対して目標ＳＩＲ更新を指示したい場合には、局間制御チャネル２５２のデータ部に目標ＳＩＲ更新信号を乗せて送信し、ＢＴＳでは目標ＳＩＲ更新信号の中身を解読して、解読結果に従い目標ＳＩＲを更新する。
【００３２】
この実施の形態では、一例として、ハンドオーバ中の無線回線品質は、  ＢＴＳ＿Ｂ２００とＭＳ４００との間の無線回線品質より、ＢＴＳ＿Ａ１００とＭＳ４００との無線回線品質の方が高いものとする。又、各々の実施の形態では、基地局での基準品質にはＳＩＲを、基地局制御局での信号品質には、ＦＥＲを用いて説明するが、これに限らず、基準品質、信号品質を表す適宜のパラメータを用いることができる、例えば、１Ｂｉｔ当りの信号比干渉電力Ｅｂ／Ｎｏ（Ｂｉｔ  Ｅｎｅｒｇｙｐｅｒ  Ｎｏｉｓｅ）、ビット誤り率（Ｂｉｔ  Ｅｒｒｏｒ  Ｒａｔｅ）、フレーム誤り率、搬送波対干渉電力ＣＩＲ（ｃａｒｒｉｅｒ  ｉｎｔｅｒｆｅｒｅｎｃｅ  ｒａｔｉｏ）、呼損率等を用いることができる。
【００３３】
実施の形態１でのシステム構成は、図１７の従来の構成と同様であるが、ＢＴＳとＢＳＣ３００との間の目標ＳＩＲ更新周期Ｔ５１０を従来のものより短く設定していることが、主な特徴である。この実施の形態１の動作をグラフを用いて説明する。
【００３４】
図２は、本発明を適用した実施の形態１での送信電力制御を表したグラフである。図２（Ａ）は、上からＭＳ４００の送信電力、図２（Ｂ）は、ＢＴＳ＿Ａ１００とＢＴＳ＿Ｂ２００の目標ＳＩＲと受信ＳＩＲ、図２（Ｃ）は、ＢＳＣでの受信ＦＥＲをそれぞれ示すグラフであり、図１８の従来のグラフと比べると、特に、目標ＳＩＲ更新周期Ｔ５１０が短く設定されている。
【００３５】
ｔ０〜ｔ３時間は、ＢＴＳ＿Ａ１００とＭＳ４００との無線回線品質が良好な場合である。ＭＳ４００がハンドオーバ中の閉ループ送信電力制御は、品質の良い送信電力制御信号を選択することから、ＢＴＳ＿Ａ１００の送信電力制御信号をもとに閉ループ送信電力制御を行い、ＢＴＳ＿Ａ１００での受信ＳＩＲ５０３は、目標ＳＩＲ５０２に収束する。逆に、ＢＴＳ＿Ｂ２００での受信ＳＩＲ５０５は、ＭＳ４００がＢＴＳ＿Ｂ２００の送信電力制御信号を基に閉ループ送信電力制御をしていないことから目標ＳＩＲ５０４より低くなる。ｔ１での受信ＦＥＲ５０８は、目標ＦＥＲ５０７より品質が良いので、ＢＳＣ３００は、ｔ１での目標ＳＩＲ更新時間に目標ＳＩＲを下げる制御信号をＢＴＳ＿Ａ１００とＢＴＳ＿Ｂ２００に対して出す。その制御信号を受け取ったＢＴＳ＿Ａ１００とＢＴＳ＿Ｂ２００は、制御信号に従い目標ＳＩＲを下げる。目標ＳＩＲが下がると、ｔ１でのＢＴＳ＿Ａ１００の受信ＳＩＲ５０３は、目標ＳＩＲ５０２より高くなり、ＭＳ４００は、閉ループ送信電力制御によって送信電力５０１を下げ、ＢＴＳ＿Ａ１００の受信ＳＩＲ５０３は、目標ＳＩＲ５０２に収束していく。更にＢＳＣ３００での受信ＦＥＲ５０８も目標ＦＥＲ５０７に収束していく。
【００３６】
次にｔ３以降にＢＴＳ＿Ａ１００１００とＭＳ４００との無線回線間に障害物が入ること等により、無線回線品質が低下したとすると、ＢＴＳ＿Ａ１００での受信ＳＩＲ５０３は、急激に低下する。それに伴って、ＢＳＣ３００の受信ＦＥＲ５０８も急激に悪くなり、ＭＳ４００の送信電力５０１は、閉ループ送信電力制御によって上がっていく。ＢＳＣ３００では、ＢＴＳ＿Ａ１００の受信ＳＩＲ５０３がＢＴＳ＿Ｂ２００の受信ＳＩＲ５０５より低くなった時点で、選択合成部での選択する信号がＢＴＳ＿Ａ１００経由の信号からＢＴＳ＿Ｂ２００経由の信号へと変わり、受信ＦＥＲ５０８の上昇が止まる。次にｔ４では、目標ＳＩＲ更新制御により目標ＳＩＲが上げられ、早急にＦＥＲが改善される。更に呼解放ＦＥＲ５０６を超える時間が短くなるので、同期外れが生じなくなり、呼解放が発生しなくなる。この動作を繰り返すとｔ７以降に受信ＦＥＲが目標ＦＥＲに収束して、品質を満たすことになる。このように目標ＳＩＲ更新周期Ｔ５１０を短くすることで、受信ＦＥＲ５０８が悪くなった場合でも、早急に目標ＦＥＲ５０７に近づけることが出来る。
【００３７】
図４は、ＢＴＳ＿Ａ１００とＢＴＳ＿Ｂ２００の構成を示すブロック図である。図中において、無線信号の送受信を行うアンテナ１０１、上りと下り信号を分配するサーキュレータ１０２、高周波・中間周波数での受信処理を行う受信部（ＲｘＲＦ）１０３、逆拡散処理を行う逆拡散回路１０４ａ〜１０４ｎ、上り信号の復号化処理を行う復号部１０５ａ〜１０５ｎ、上り信号から通話信号と制御信号を挿入分離する上り情報部１０６、ＢＳＣ３００への送信インタフェースを持つ上りＬＩＦ部１０７、上り信号のＳＩＲを測定する上りチャネルＳＩＲ測定部１０８、受信ＳＩＲと制御部１５０より指定された目標ＳＩＲとを比較し、比較結果により送信電力制御信号を作成する比較器１０９、ＢＳＣ３００からの受信インタフェースを持つ下りＬＩＦ部１１１、下り信号から通話信号と制御信号を分離、挿入する下り情報部１１１、下り信号を符号化する符号化部１１２ａ〜１１２ｎ、下り信号に比較器から入力された送信電力制御信号を付加してフレームを作成するフレーム作成部１１３ａ〜１１３ｎ、拡散処理を行う拡散回路１１４ａ〜１１４ｎ、拡散回路から入力された上り信号を加算する加算回路１１５、下り信号の高周波数・中間周波数処理を行う送信部（ＴｘＲＦ）１１６、ＢＳＣ３００からの制御信号により目標ＳＩＲを更新させる制御部１５０を備える。
【００３８】
次に、図５は、ＢＳＣ３００の構成を示すブロック図である。図中において、ＢＴＳとのインタフェースを持つラインインタフェース部（ＬＩＦ部）３０１ａ〜３０１ｎ、信号の交換処理を行うスイッチ（ＳＷ）３０２、ハンドーバ中に選択合成処理を行う選択合成部３２０、上位局への送信インタフェースを持つ上位局ＩＦ部３０４、選択合成後の上り信号のＦＥＲを測定する上りＦＥＲ測定部３０５、測定したＦＥＲと制御部より入力された目標ＦＥＲとを比較する比較器３０６、比較器での比較結果を基に制御信号を作成する制御信号作成部３０７、上位局への受信インタフェースを持つ上位局ＩＦ３０８、下り信号に制御信号を挿入する加算器３０９、下り信号をハンドオーバ中のＢＴＳへ複製する選択分離部３１０、メインパスを推定する目標ＳＩＲ制御部３５０を備える。
【００３９】
以上のように構成されるＣＤＭＡ移動通信システムにおいて、ハンドオーバ中のＭＳ４００およびＢＴＳは、それぞれの無線回線の受信品質が所定の基準品質に等しくなるように閉ループ電力制御周期τで送信電力制御を行い、またＢＳＣ３００においては、受信ＦＥＲが所定の目標ＦＥＲに等しくなるように、所定の目標ＳＩＲ更新周期Ｔで目標ＳＩＲを補正制御する。
【００４０】
更に詳細に説明すると、先ず、ＢＴＳ＿Ａ１００では、ＭＳ４００から送信された上り信号を、アンテナ１０１で受信し、サーキュレータ１０２を介してＲｘＲＦ１０３に転送する。ＲｘＲＦ１０３では、ベースバンド信号の復調と高／中間周波数での受信処理が行われ、ベースバンド信号を逆拡散回路１０４ａ〜１０４ｎへと転送する。逆拡散回路１０４ａ〜１０４ｎでは、指定された拡散符号を使って上り信号に逆拡散処理を施し、該ＭＳ４００の上り信号を取り出す。取り出した該ＭＳ４００の上り信号は、上りチャネルＳＩＲ測定部１０８と復号部１０５ａ〜１０５ｎへと入力される。復号部１０５ａ〜１０５ｎでは、入力された上り信号にデインタリーブやビタビ復号等の誤り訂正制御処理を施し、更に無線回線の品質情報を付加して、上り信号を上り情報部１０６へと送信する。上り情報部１０６では、上り信号から制御信号と通話信号を分離してＢＳＣ３００に送信すべき信号を選定して上りＬＩＦ部１０７を介してＢＳＣ３００へと送信する。
【００４１】
一方、上りチャネルＳＩＲ測定部１０８は、入力された上り信号のＳＩＲを測定し、受信ＳＩＲを比較部１０９へと転送する。比較部１０９では、入力された受信ＳＩＲと制御部１５０より指定された目標ＳＩＲとを比較して、受信ＳＩＲが目標ＳＩＲより小さい場合には、送信電力増加を意味する送信電力制御信号を、受信ＳＩＲが目標ＳＩＲより大きい場合には、送信電力減少を意味する送信電力制御信号を作成し、その信号をフレーム作成部１１３ａ〜１１３ｎへと送信する。
【００４２】
ＢＳＣ３００から受信する下り信号は、下りＬＩＦ１１０を介して下り情報部１１１へ入力される。下り情報部では、ＢＴＳ＿Ａ１００で終端する必要がある制御信号（例えば、目標ＳＩＲの増減指示のための制御信号等）は、制御部１５０へと転送し、ＭＳ４００へと送信すべき信号には符号化部１１２ａ〜１１２ｎへと転送する。符号化部１１２ａ〜１１２ｎへ入力された下り信号は、インターリーブや符号化処理等を施され、フレーム作成部１１３ａ〜１１３ｎへと送信される。フレーム作成部１１３ａ〜１１３ｎでは、符号化部１１２ａ〜１１２ｎから入力された下り信号に比較部１０９から入力された送信電力制御信号を付加して拡散回路１１４ａ〜１１４ｎへと転送する。拡散回路１１４ａ〜１１４ｎでは、下り信号を拡散処理した後、加算回路１１５へと送信する。加算回路１１５では各拡散回路から入力された下り信号を加算してＴｘＲＦ１１６へと転送する。ＴｘＲＦ１１６へと入力された下り信号は、高／中間周波数の送信処理を施されサーキュレータ１０２を介してアンテナ１０１からＭＳ４００へと送信される。又、ＢＴＳ＿Ｂ２００でも同様な構成により同様な処理が行われて、送信電力制御信号を付加された下り信号がアンテナより送信される。
【００４３】
ＭＳ４００では、ＢＴＳ＿Ａ１００とＢＴＳ＿Ｂ２００から受信した下り信号を、例えば、最大比合成等にて受信処理を行うことで、結果的には、品質の良い信号の送信電力制御信号を使って、送信電力制御判定を行うことになる。この場合には、ＢＴＳ＿Ａ１００との無線回線品質の方が良いので、ＢＴＳ＿Ａ１００の送信電力制御信号を解読して、その電力増減指示に従いＭＳ４００の送信電力を決定する。
【００４４】
一方、ＢＴＳ＿Ａ１００からＢＳＣ３００へと送信された上り信号は、ラインインタフェース（ＬＩＦ）３０１ａを介してＳＷ３０２へと入力され、ＢＴＳ＿Ｂ２００からＢＳＣ３００へと送信された上り信号は、ＬＩＦ３０１ｎを介してＳＷ３０２へと入力される。ＳＷ３０２では、ハンドーバ中のＢＴＳ＿Ａ１００とＢＴＳ＿Ｂ２００の上り信号を選択合成部３２０へと交換する。
【００４５】
（２）実施の形態２の説明
次に実施の形態２の説明をする。まず、基地局制御局について説明する。
図７は、基地局制御局における選択合成部のブロック構成を表した図である。選択合成部３２０は、図のような、バッファ３２１ａ〜３２１ｎ、選択判定部３２２、選択部３２３を備えており、ＳＷ３０２から入力された上り信号は、信号線３２４ａ〜３２４ｎを介して、一旦、バッファに入れられ、比較する信号の遅延差が吸収される。選択判定部３２３では、ＢＴＳ＿Ａ１００とＢＴＳ＿Ｂ２００の上り信号に付加された品質情報を比較して、より品質の高い信号の選択判定を行う。判定結果は、信号線３２５を通して、選択部３２３と目標ＳＩＲ更新制御部３５０へとに連絡される。選択部３２３に判定結果が通知されると選択部３２３では、判定結果に従った信号を選択判定部３２２より読み出し、読み出した信号は、上りＦＥＲ測定部３０５と上位局ＩＦ３０４へと転送される。
【００４６】
上位局ＩＦ３０４へ入力された信号は、上位局へと送信される。上りＦＥＲ測定部３０５では、入力された選択合成後の信号のＦＥＲを測定して、受信ＦＥＲを比較部３０６へと送信する。比較部３０６では、入力された受信ＦＥＲと予めシステムによって決められた目標ＦＥＲとを比較して、受信ＦＥＲが目標ＦＥＲより低い場合、ＢＴＳの目標ＳＩＲを下げる指示を、受信ＦＥＲが目標ＦＥＲより高い場合には、ＢＴＳの目標ＳＩＲを上げる指示の意味をもつ目標ＳＩＲ更新信号を制御信号作成部３０７に入力する。制御信号作成部３０７では、比較部３０６より入力された目標ＳＩＲ更新信号を下りの制御信号のフォーマットに変換して、加算器３０９を介して選択分離部３１０へと送信する。
【００４７】
図８は、基地局制御局における目標ＳＩＲ更新制御部のブロック構成を表した図である。目標ＳＩＲ更新制御部３５０は、図８のような選択合成部インタフェースの３５１とメインパス推定部の３６０、選択分離部へのインタフェースの３５３を備え、これらは、内部バス３５４で接続されている。選択合成部３２０により入力された選択判定結果信号は、選択合成部インタフェース（ＩＦ３５１）を介して入力され、メインパス推定部３６０へと転送される。
【００４８】
図１０は、基地局制御でのメインパスを推定する手段を表したフローチャートである。メインパス推定部３６０では、図１０に示すようなフローチャートでメインパスを推定する。
選択合成部ＩＦ３５１を介して、選択判定結果信号が入ってくると、先ず、ステップ３６１に進み、選択された信号がＢＴＳ＿Ａ１００の信号であるか否か判定する。ＢＴＳ＿Ａ１００の信号であると判定された場合には、ステップ３６２に進み、ＢＴＳ＿Ａ１００の信号を選択している割合を測定し、ステップ３６３に進む。ステップ３６３では、ステップ３６２で測定した結果が、規定の閾値ｔｈ以上であるか否か判定する。判定結果がｔｈ以上と判定された場合には、ステップ３６４に進み、メインパスは、ＢＴＳ＿Ａ１００からの通信路であると判定される。又、ステップ３６３で判定した結果がｔｈ未満であると判定された場合には、ステップ３６７に進み、メインパスは該当なしと判定される。
【００４９】
一方、ステップ３６１で選択信号がＢＴＳ＿Ｂ２００から受信した信号であると判定された場合には、ステップ３６５に進み、ＢＴＳ＿Ｂ２００の受信信号を選択している割合を測定する。次にステップ３６６に進み、ステップ３６５で測定した結果が規定閾値ｔｈ以上であると判定された場合には、ステップ３６８に進み、メインパスはＢＴＳ＿Ｂ２００からの通信路であると判定できる。また、ステップ３６６での判定結果が規定閾値ｔｈ未満であると判定された場合には、ステップ３６７に進み、メインパス該当なしという判定になる。
【００５０】
ステップ３６４、３６７、３６８によってメインパスの判定が決まった後、ステップ３６９に進み、目標ＳＩＲ更新時間であるかの判定が行われ、更新時間であれば、ステップ３７０に進み、選択分離部ＩＦ３５３を介して選択分離部３１０へ通知する。又、ステップ３６９での判定が目標ＳＩＲ更新時間ではないと判定された場合には、選択分離部３１０への通知は行われず終了となる。
【００５１】
選択分離部３１０では、上位局ＩＦ３０８より入力された下り信号を複製して、ハンドオーバ中の全ＢＴＳに対して送信するが、目標ＳＩＲ更新信号を乗せた制御信号は、制御部３５０より通知された信号を基に送信するＢＴＳを選択する。制御部３５０よりＢＴＳ＿Ａ１００経由の通信路がメインパスであると通知された場合には、目標ＳＩＲ更新信号を乗せた制御信号は、ＢＴＳ＿Ａ１００に接続される信号にのみに送信し、ＢＴＳ＿Ｂ２００には送信しない。又、制御部３５０よりメインパスなしと通知された場合には、ハンドーバ中の全ＢＴＳに対して送信する。選択分離部３１０よりＳＷ３０２に対して送信された下り信号は、ＬＩＦ３０１ａ〜３０１ｎを介して各ＢＴＳへと送信される。
【００５２】
ＢＳＣ３００から送信された下り信号は、ＢＴＳ＿Ａ１００とＢＴＳ＿Ｂ２００の下りＬＩＦ１１０を介して下り情報部１１１へと入力される。下り情報部１１１では、下り信号から制御信号を抽出すると制御部１５０へと転送する。
【００５３】
つぎに、基地局について説明する。
図６は、基地局における制御部のブロック構成を表した図である。制御部１５０は、図６に示すような情報部ＩＦ１５３、目標ＳＩＲ制御部１６０、比較器ＩＦ１５１、タイマ１５４を備え、下り情報部１１１より入力された制御信号は、情報部ＩＦ１５３を介して目標ＳＩＲ制御部１６０に入力される。
【００５４】
図９は、基地局での目標ＳＩＲ更新制御を実現するフローチャートである。目標ＳＩＲ制御部１６０では、このフローチャートに従った制御を行う。
先ず、ステップ１６１において、制御信号が入力されているかを判定する。情報部ＩＦ１５３より制御信号が入力されている場合には、ステップ１６２に進み、タイマー値をリセットし、ステップ１６３に進む。ステップ１６３では、制御信号の指示に従って目標ＳＩＲを増減する。次にステップ１６４に進み、更新された目標ＳＩＲを比較器ＩＦ１５１を介して比較器１０９に指示して終了である。一方、ステップ１６１で制御信号が無しと判定された場合には、ステップ１６５に進み、タイマ値が規定時間Ｔｈを超えているか否かを判定する。判定結果が、規定時間Ｔｈを超えていないと判定された場合には、ステップ１６１に戻る。又、判定結果が、規定時間Ｔｈを超えていると判定された場合には、ステップ１６６に進み、目標ＳＩＲを初期設定値に変更する。その後は、ステップ１６４に進み、比較器へ通知して終了となる。
【００５５】
次に、ＢＴＳ＿Ａ１００とＭＳ４００との間の無線回線品質が良好である時に、ＢＴＳ＿Ａ１００とＭＳ４００との無線回線間に障害物が入ってしまう等により、無線回線品質が急激に低下した場合の本発明の動作を説明する。図３は、本発明を適用した実施の形態２の送信電力制御を表したグラフである。すなわち、図３の（Ａ）は、ＭＳ４００の送信電力、図３（Ｂ）は、ＢＴＳ＿Ａ１００とＢＴＳ＿Ｂ２００の目標ＳＩＲと受信ＳＩＲ、図３（Ｃ）は、ＢＳＣでの受信ＦＥＲをそれぞれ示すグラフである。
【００５６】
ｔ０〜ｔ２時間は、ＢＴＳ＿Ａ１００とＭＳ４００との無線回線品質が良好な場合である。ＭＳ４００がＢＴＳ＿Ａ１００の送信電力制御信号をもとに閉ループ送信電力制御を行うことで、ＢＴＳ＿Ａ１００での受信ＳＩＲ６０３は、目標ＳＩＲ６０２に収束するが、ＢＴＳ＿Ｂ２００での受信ＳＩＲ６０５は、目標ＳＩＲ６０４より低くなる。
【００５７】
ｔ１での受信ＦＥＲ６０８は、目標ＦＥＲ６０７より品質が良いので、ＢＳＣ３００がＢＴＳ＿Ａ１００からの通信路をメインパスと判断した場合には、ｔ１での目標ＳＩＲ更新信号には、目標ＳＩＲを下げる指示をＢＴＳ＿Ａ１００のみに送信する。ＢＴＳ＿Ａ１００の制御部１５０は、ＢＳＣ３００からの目標ＳＩＲ更新信号を受け取るとその内容に従い目標ＳＩＲを下げる。又、ｔ１〜ｔ２時間に見られるようにＢＴＳ＿Ｂ２００では、ｔ１を過ぎても制御信号が届かないので、目標ＳＩＲ制御部１６０での処理において、図９のステップ１６５の判定においてタイマー値が規定時間Ｔｈを超えたと判断され、目標ＳＩＲが初期設定値６０９に変更される。
【００５８】
ＢＴＳ＿Ａ１００での目標ＳＩＲ６０２が下がると、ｔ１での受信ＳＩＲ６０３は、目標ＳＩＲより高くなるので、閉ループ送信電力制御によってＭＳ４００の送信電力６０１を下げ、受信ＳＩＲ６０３は、目標ＳＩＲ６０２に収束していく。更にＢＳＣ３００での受信ＦＥＲも目標ＦＥＲ６０７に収束していく。
【００５９】
次にｔ２以降にＢＴＳ＿Ａ１００とＭＳ４００との無線回線間に障害物が入り、無線回線品質が低下したとすると、ＢＴＳ＿Ａ１００での受信ＳＩＲ６０３は、急激に低下する。それに伴って、ＢＳＣ３００の受信ＦＥＲ６０８も急激に悪くなり、ＭＳ４００の送信電力は、閉ループ送信電力制御により送信電力を上げていく。ＢＴＳ＿Ａ１００の受信ＳＩＲ６０３がＢＴＳ＿Ｂ２００の受信ＳＩＲ６０５より低くなった時点で、ＢＳＣ３００の選択合成部での選択する信号が、ＢＴＳ＿Ａ１００経由の信号からＢＴＳ＿Ｂ２００経由の信号へと変わり、受信ＦＥＲ６０８の上昇が止まる。ＭＳ４００においては、閉ループ送信電力制御をＢＴＳ＿Ａ１００の送信電力制御信号からＢＴＳ＿Ｂ２００の送信電力制御信号を基に制御するように変わり、既に初期設定値になっているＢＴＳ＿Ｂ２００の目標ＳＩＲに向かって送信電力を増加させる。この動作により、呼解放ＦＥＲ６０６を超える時間が短くなるので、同期外れが生じなくなり、呼解放が発生しなくなる。
【００６０】
通常、目標ＳＩＲの初期設定値６０９は、受信ＳＩＲが目標ＳＩＲに収束した場合にＢＳＣ３００の受信ＦＥＲが目標ＦＥＲより品質が高くなるように設定される。ｔ３以降は、目標ＳＩＲ更新制御および閉ループ送信電力制御によってＢＳＣ３００の目標ＦＥＲ６０７に収束するように動作する。又、ＢＴＳ＿Ａ１００とＭＳ４００の無線回線が低下したままであれば、ｔ４でのメインパスは、ＢＴＳ＿Ｂ２００からの通信路であるとＢＳＣ３００が判定することで、ＢＴＳ＿Ａ１００は、目標ＳＩＲ６０２をＢＴＳ＿Ａ１００の初期設定値に変更する。
【００６１】
上記の動作によって、目標ＦＥＲの品質を満たさない時間が短縮できる。なお、規定時間Ｔｈは、例えば、ＳＩＲ更新周期Ｔより大きい値とすることができる。また、目標ＳＩＲの初期設定値は、例えば、十分に呼接続可能な程度高い値、インフラ・環境・システム設置状況に応じた経験値・設定値、ＭＳが出力できる最大値より低い値等に適宜設定することができる。
【００６２】
（３）実施の形態３の説明
次に、実施の形態３について説明する。本発明を適用するシステムは、図１と同様であり、ＭＳ４００、ＢＳＣ３００は従来の装置と同様である。図１１は、実施の形態３で用いられるＢＴＳのブロック構成図を示している。
【００６３】
このＢＴＳで特徴的な構成は、主に目標ＳＩＲの更新制御を行う制御部１７０にある。上りチャネルＳＩＲ測定部１０８により上り信号のＳＩＲを測定した後、受信ＳＩＲを比較器１０９と制御部１７０に転送する。比較器１０９は、実施の形態２で説明した動作と同様である。
【００６４】
図１２は、実施の形態３での基地局における制御部のブロック構成を表した図である。制御部１７０は、上りチャネルＳＩＲ測定１０８とのインタフェースを持つＳＩＲ測定部ＩＦ１７２、比較器１０９とのインタフェースの１７１、目標ＳＩＲ更新の制御を行う目標ＳＩＲ制御部１８０、下り情報部１１１とのインタフェースを持つ情報部ＩＦ１７３を備え、これらは内部バス１７５で接続されている。
【００６５】
目標ＳＩＲ更新制御は、目標ＳＩＲ制御部１８０によって制御される。図１３は、実施の形態３での基地局での目標ＳＩＲ更新制御を実現するフローチャートである。目標ＳＩＲ制御部１８０の動作を、このフローチャートを用いて説明する。先ず、ステップ１８１において、現在の目標ＳＩＲから、ＳＩＲ測定部ＩＦ１７２を介して入力された受信ＳＩＲを減算した値をΔＳＩＲとして求める。次にステップ１８２に進み、ステップ１８２で算出したΔＳＩＲが予め決めていた閾値Ｘｔｈと比較する。比較結果がΔＳＩＲは、Ｘｔｈより小さいと判定された場合には、ステップ１８３に進み、情報部ＩＦ１７３に目標ＳＩＲ更新信号を含む制御信号が有るか否かを判断する。判断結果において制御信号が入力されていると判断された場合には、ステップ１８４に進み、目標ＳＩＲ更新信号の指示に従い目標ＳＩＲを増減制御する。次にステップ１８５に進み、ステップ１８４の結果を、比較器ＩＦ１７１を介して比較器１０９に通知する。又、ステップ１８３にて制御信号が入力されていないと判断された場合には、終了となる。一方、ステップ１８２での比較結果がΔＳＩＲは、閾値Ｘｔｈより大きいと判定された場合には、ステップ１８６に進む。ステップ１８６では、目標ＳＩＲを初期設定値に変更する。この場合の初期設定値は、システム初期値とは限定せず、十分品質が保てる値を設定することも出来る。目標ＳＩＲを初期設定に変更した後は、ステップ１８５に進み、比較器１０９に通知して終了となる。このフローでは、ΔＳＩＲがＸｔｈを超えた場合に、ＢＳＣ３００からの目標ＳＩＲ更新信号を無視する動作になる。
【００６６】
次に、ＢＴＳ＿Ａ１００とＭＳ４００との無線回線品質が良好である時に、ＢＴＳ＿Ａ１００とＭＳ４００との無線回線間に障害物が入ってしまう等により、無線回線品質が急激に低下した場合の実施の形態３の動作を説明する。図１４は、本発明を適用した実施の形態３での送信電力制御を表したグラフである。図１４（Ａ）は、ＭＳ４００の送信電力、図１４（Ｂ）は、ＢＴＳ＿Ａ１００とＢＴＳ＿Ｂ２００の目標ＳＩＲと受信ＳＩＲ、図１４（Ｃ）は、ＢＳＣ３００での受信ＦＥＲをそれぞれ示すグラフである。
【００６７】
ｔ０〜ｔ２時間は、ＢＴＳ＿Ａ１００とＭＳ４００との無線回線品質が良好な場合である。ＭＳ４００がＢＴＳ＿Ａ１００の送信電力制御信号をもとに閉ループ送信電力制御を行うことで、ＢＴＳ＿Ａ１００での受信ＳＩＲ７０３は、目標ＳＩＲ７０２に収束するが、ＢＴＳ＿Ｂ２００での受信ＳＩＲ７０５は、目標ＳＩＲ７０４より低くなる。
【００６８】
ｔ１での受信ＦＥＲ７０８は、目標ＦＥＲ７０７より品質が良いので、ｔ１での目標ＳＩＲ更新信号には、目標ＳＩＲを下げる指示をＢＴＳ＿Ａ１００とＢＴＳ＿Ｂ２００に送信する。ＢＴＳ＿Ａ１００の制御部１７０は、ＢＳＣ３００からの目標ＳＩＲ更新信号を受け取ると図１３のフローチャートにて目標ＳＩＲの更新制御が決められる。ステップ１８１でのΔＳＩＲの値は、目標ＳＩＲと受信ＳＩＲの値が極めて等しいことから小さな値となる。ステップ１８２での判定では、ΔＳＩＲの値は、Ｘｔｈより小さいと判定され、ステップ１８３、ステップ１８４へと進み、ＢＳＣ３００から受信した目標ＳＩＲ制御信号を基に目標ＳＩＲを更新する。この場合には、目標ＳＩＲを減少させ、比較器に通知される。
【００６９】
一方、ＢＴＳ＿Ｂ２００の目標ＳＩＲ更新制御部１８０においては、目標ＳＩＲと受信ＳＩＲに格差があるので、ステップ１８１のΔＳＩＲの値が大きくなり、ステップ１８２での判定では、ΔＳＩＲは、Ｘｔｈより大きいと判定される。判定後は、ステップ１８６に進み、目標ＳＩＲが初期設定値に変更され、比較器１０９に通知される。
【００７０】
ＢＴＳ＿Ａ１００での目標ＳＩＲ７０２が下がると、ｔ１での受信ＳＩＲ７０３は、目標ＳＩＲより高くなるので、閉ループ送信電力制御によってＭＳ４００の送信電力７０１を下げ、受信ＳＩＲ７０３は、目標ＳＩＲ７０２に収束していく。更にＢＳＣ３００での受信ＦＥＲ７０８も目標ＦＥＲ７０７に収束していく。
【００７１】
次にｔ２以降にＢＴＳ＿Ａ１００とＭＳ４００との無線回線間に障害物が入る等により、無線回線品質が低下したとすると、ＢＴＳ＿Ａ１００での受信ＳＩＲ７０３は、急激に低下する。それに伴って、ＢＳＣ３００の受信ＦＥＲ７０８も急激に悪くなり、ＭＳ４００の送信電力は、閉ループ送信電力制御により送信電力を上げていく。ＢＴＳ＿Ａ１００の受信ＳＩＲ７０３がＢＴＳ＿Ｂ２００の受信ＳＩＲ７０５より低くなった時点で、ＢＳＣ３００の選択合成部での選択する信号が、ＢＴＳ＿Ａ１００経由の信号から、ＢＴＳ＿Ｂ２００経由の信号へと変わり、受信ＦＥＲ７０８の上昇が止まる。ＭＳ４００においては、閉ループ送信電力制御をＢＴＳ＿Ａ１００の送信電力制御信号からＢＴＳ＿Ｂ２００の送信電力制御信号を基に制御するように変わり、既に初期設定値になっているＢＴＳ＿Ｂ２００の目標ＳＩＲに向かって送信電力を増加させる。この動作により呼解放ＦＥＲ７０６を超える時間が短くなるので、同期外れが生じなくなり、呼解放が発生しなくなる。
【００７２】
通常、目標ＳＩＲの初期設定値は、受信ＳＩＲが目標ＳＩＲに収束した場合にＢＳＣ３００の受信ＦＥＲが目標ＦＥＲより品質が高くなるように設定される。ｔ３以降は、目標ＳＩＲ更新制御および閉ループ送信電力制御によってＢＳＣ３００の目標ＦＥＲ７０８に収束するように動作する。又、ＢＴＳ＿Ａ１００とＭＳ４００の無線回線が低下したままであれば、ＢＴＳ＿Ａ１００の目標ＳＩＲ７０２と受信ＳＩＲ７０３の差がＸｔｈを超えたと判断された時点で、ＢＴＳ＿Ａ１００の目標ＳＩＲ７０２を初期設定値に変更する。
【００７３】
上記の動作によって、目標ＦＥＲの品質を満たさない時間が短縮できる。なお、閾値Ｘｔｈ、目標ＳＩＲの初期設定値は、インフラ・環境・システム設定状況に応じた経験値・設定値等により適宜設定することができる。
【００７４】
（４）実施の形態４の説明
次に、実施の形態４について説明する。本発明が適用するシステムは、図１と同様であり、ＭＳ４００、ＢＴＳ１００は従来の装置と同様の構成である。図１５は、実施の形態４で用いれるＢＳＣ３００のブロック構成図を示している。
【００７５】
このＢＳＣ３００での特徴は、目標ＳＩＲ更新制御を、各ＢＴＳに対して独立に行うことである。詳細に説明すると、ハンドオーバ中のＢＴＳ１００とＢＴＳ２００からの上り信号は、ＬＩＦ３０１ａとＬＩＦ３０１ｎを介してＢＳＣ３００に入力される。入力された上り信号は、ＳＷ３０２によって交換され、信号線３２４ａ、信号線３２４ｎを通り選択合成部３８０と上りＦＥＲ測定部３８１に転送される。選択合成部３８０に入力された信号は、選択合成されて上位局へと転送される。一方、上りＦＥＲ測定部３８１は、入力された各上り信号のＦＥＲを測定して、ＦＥＲを比較器３８２に転送する。比較器３８２では、各信号に対して、上りＦＥＲ測定部から入力されたＦＥＲと制御部から指定されている目標ＦＥＲとを比較して、受信ＦＥＲが目標ＦＥＲより低い場合には、ＢＴＳの目標ＳＩＲを下げる指示を、受信ＦＥＲが目標ＦＥＲより高い場合には、ＢＴＳの目標ＳＩＲを上げる指示の意味をもつ目標ＳＩＲ更新信号を制御信号作成部３８３に送信する。制御信号作成部３８３は、比較部より入力された目標ＳＩＲ更新信号を下りの制御信号フォーマットに変換して、各ＢＴＳに対応する信号を各ＢＴＳに接続される信号に加算器３８４ａ、３８４ｎを介して挿入される。
【００７６】
次に、ＢＴＳ＿Ａ１００とＭＳ４００との無線回線品質が良好である時に、ＢＴＳ＿Ａ１００とＭＳ４００との無線回線間に障害物が入ってしまう等により、無線回線品質が急激に低下した場合の実施の形態４の動作を説明する。図１６は、本発明を適用した実施の形態４での送信電力制御を表したグラフである。図１６（Ａ）は、ＭＳ４００の送信電力、図１６（Ｂ）は、ＢＴＳ＿Ａ１００とＢＴＳ＿Ｂ２００の目標ＳＩＲと受信ＳＩＲ、図１６（Ｃ）は、ＢＳＣ３００でのＢＴＳ＿Ａ１００から受信した信号のＦＥＲ７５９、ＢＴＳ＿Ｂ２００から受信した信号のＦＥＲ７６１、選択合成後のＦＥＲ７５８をそれぞれ示すグラフである。
【００７７】
ｔ０〜ｔ２時間は、ＢＴＳ＿Ａ１００とＭＳ４００との無線回線品質が良好な場合である。ＭＳ４００がＢＴＳ＿Ａ１００の送信電力制御信号をもとに閉ループ送信電力制御を行うことで、ＢＴＳ＿Ａ１００での受信ＳＩＲ７５３は、目標ＳＩＲ７５２に収束するが、ＢＴＳ＿Ｂ２００での受信ＳＩＲ７５５は、目標ＳＩＲ７５４より低くなる。
【００７８】
ｔ１でのＢＴＳ＿Ａ１００経由のＦＥＲ７５９は、目標ＦＥＲ７５７より品質が良いので、ｔ１での目標ＳＩＲ更新信号には、目標ＳＩＲを下げる指示をＢＴＳ＿Ａ１００に送信する。一方、ＢＴＳ＿Ｂ２００経由のＦＥＲ７６１は、目標ＦＥＲ７５７より品質が悪いので、ｔ１での目標ＳＩＲ更新信号には、目標ＳＩＲを上げる指示をＢＴＳ＿Ｂ２００に送信する。ｔ２においても同様に動作する。
【００７９】
次にｔ２以降にＢＴＳ＿Ａ１００とＭＳ４００との無線回線間に障害物が入る等により、無線回線品質が低下した場合を考えると、ＢＴＳ＿Ａ１００での受信ＳＩＲ７５３は、急激に低下する。それに伴って、ＢＴＳ＿Ａ１００のＦＥＲ７５９は、急激に悪くなり、ＢＳＣ３００でのＢＴＳ＿Ａ１００のＦＥＲ７５９も急激に悪くなる。ＭＳ４００の送信電力は、ＢＴＳ＿Ａ１００での受信ＳＩＲが目標ＳＩＲより低くなったことで、閉ループ送信電力制御により送信電力を上げていく。
【００８０】
ＢＴＳ＿Ａ１００の受信ＳＩＲ７５３がＢＴＳ＿Ｂ２００の受信ＳＩＲ７５５より低くなった時点で、ＢＳＣ３００の選択合成部での選択する信号は、ＢＴＳ＿Ａ１００経由の信号から、ＢＴＳ＿Ｂ２００経由の信号へと変わり、ＭＳ４００においても、閉ループ送信電力制御がＢＴＳ＿Ａ１００の送信電力制御信号からＢＴＳ＿Ｂ２００の送信電力制御信号を基に制御するように変わる。このハンドオーバによって、ＭＳ４００は、送信電力をＢＴＳ＿Ｂ２００の目標ＳＩＲを満たすように上げ、それによってＢＴＳ＿Ｂ２００のＦＥＲ７６１も下がる。また、ＢＳＣ３００においても選択する信号が変わっているので、合成後ＦＥＲ７５８の上昇が止まり、下がっていく。
【００８１】
このようにＢＴＳ＿Ｂ２００の目標ＳＩＲは、ＢＴＳ＿Ａ１００とは独立に制御されているため、目標ＳＩＲと受信ＳＩＲに差があると、ＢＳＣ３００の目標ＳＩＲ更新制御により上げるように制御される。従って、急にハンドオーバをした場合にでも、目標ＳＩＲが高くなっているので、合成後ＦＥＲを急速に下げることができる。この動作により呼解放ＦＥＲ７５６を超える時間が短くなるので、同期外れが生じなくなり、呼解放が発生しなくなる。
上記の動作によって、目標ＦＥＲの品質を満たさない時間が短縮できる。
【図面の簡単な説明】
【００８２】
【図１】本発明を適用したセルラー移動通信システムにおいて、ハンドオーバ中の構成を表した図である。
【図２】本発明を適用した実施の形態１での送信電力制御を表したグラフである。
【図３】本発明を適用した実施の形態２の送信電力制御を表したグラフである。
【図４】本発明を適用した実施の形態２での基地局のブロック構成を表した図である。
【図５】本発明を適用した実施の形態２での基地局制御局のブロック構成を表した図である。
【図６】基地局における制御部のブロック構成を表した図である。
【図７】基地局制御局における選択合成部のブロック構成を表した図である。
【図８】基地局制御局における目標ＳＩＲ更新制御部のブロック構成を表した図である。
【図９】本発明を適用した実施の形態２での基地局での目標ＳＩＲ更新制御を実現するフローチャートである。
【図１０】基地局制御でのメインパスを推定する手段を表したフローチャートである。
【図１１】本発明を適用した実施の形態３での基地局における制御部のブロック構成を表した図である。
【図１２】実施の形態３での基地局における制御部のブロック構成を表した図である。
【図１３】実施の形態３での基地局での目標ＳＩＲ更新制御を実現するフローチャートである。
【図１４】本発明を適用した実施の形態３での送信電力制御を表したグラフである。
【図１５】本発明を適用した実施の形態４での基地局制御局のブロック構成を表した図である。
【図１６】本発明を適用した実施の形態４での送信電力制御を表したグラフである。
【図１７】従来の移動体通信システムでのハンドーバ中の構成を表した図である。
【図１８】従来の移動体通信システムでの送信電力制御を表したグラフである。
【符号の説明】
【００８３】
１００  基地局
３００  基地局制御局
４００  移動局
６００  閉ループ電力制御間隔τ
６０１  移動局の送信電力
６０２  基地局Ａの目標ＳＩＲ
６０３  基地局Ａの受信ＳＩＲ
６０４  基地局Ｂの目標ＳＩＲ
６０５  基地局Ｂの受信ＳＩＲ
６０６  呼解放ＦＥＲ
６０７  基地局制御局の目標ＦＥＲ
６０８  基地局制御局の受信ＦＥＲ
１０１  アンテナ
１０２  サーキュレータ
１０３  受信無線モジュール
１０４ａ〜１０４ｎ  逆拡散回路
１０５ａ〜１０５ｎ  復号部
１０６  上り情報部
１０７  上りＬＩＦ
１０８  上りチャネルＳＩＲ測定部
１０９  比較器
１５０  制御部
１１０  下りＬＩＦ
１１１  下り情報部
１１２ａ〜１１２ｎ  符号化部
１１３ａ〜１１３ｎ  フレーム作成部
１１４ａ〜１１４ｎ  拡散回路
１１５  加算回路
１１６  送信無線モジュール
３０１ａ〜３０１ｎ  ＬＩＦ
３０２  ＳＷ
３２０  選択合成部
３０４  上位局ＩＦ
３０５  上りＦＥＲ測定部
３０６  基地局制御局の比較器
３０７  制御信号作成部
３０８  上位局ＩＦ
３０９  加算器
３１０  選択分離部
３５０  目標ＤＩＲ更新制御部
【図１】
0004681638.tif 000002
【図２】
0004681638.tif 000003
【図３】
0004681638.tif 000004
【図４】
0004681638.tif 000005
【図５】
0004681638.tif 000006
【図６】
0004681638.tif 000007
【図７】
0004681638.tif 000008
【図８】
0004681638.tif 000009
【図９】
0004681638.tif 000010
【図１０】
0004681638.tif 000011
【図１１】
0004681638.tif 000012
【図１２】
0004681638.tif 000013
【図１３】
0004681638.tif 000014
【図１４】
0004681638.tif 000015
【図１５】
0004681638.tif 000016
【図１６】
0004681638.tif 000017
【図１７】
0004681638.tif 000018
【図１８】
0004681638.tif 000019